(57)【要約】  【課題】  夜間の停止や急な雨天などの低照度における停止制御に対応し、かつ希望の時間でも起動および停止可能な換気装置において、季節や設置場所により変動する日没、日出に関する膨大なデータを記憶せず、さらに設置者が日時や設置場所の緯度や経度などの煩雑なデータの入力を必要とせず、また、湿度が増加する雨天や曇天時において湿度センサーなどの回路の増加を必要しない太陽電池式換気装置を提供する。  【解決手段】  太陽電池を電源とする換気装置であって、出力電圧や短絡電流等を測定し換算し照度測定する機能を有し、さらにバックアップ電源を設けることで２４時間の照度データの監視を行い、この取得した照度データの数値比較をもとに日没、日出のおおよそのタイミングを推測し、これを基準時とし、この基準時に対し何時間前、何時間後に動作するかを指示することにより時間を基準とした制御を行う。  【選択図】  図１
2005282877.tif 000002
【特許請求の範囲】
【請求項１】
太陽電池により駆動されるファンモーターと、この太陽電池に対する光照度を測定する照度測定部と、上記ファンモーターに出力を供給する出力電圧生成部と、前記照度測定部により検知した照度データに基づいて日出および日没の双方の時刻を基準時として記憶する基準記憶部を備えた基準時設定部とを備え、さらに前記基準時に対して規定する所定の時刻に、前記ファンモーターの起動および停止を記憶する時間調整部と、前記基準時設定部のデータと前記時間調整部のデータにより、前記出力電圧生成部に対し起動および停止の制御を行う時間制御部とから成る制御部とからなることを特徴とする換気装置。
【請求項２】
前記基準時設定部に、日出と日没の双方の時刻に対する中間時を、前記基準時としたことを特徴とする請求項１に記載の換気装置。
【請求項３】
前記基準時設定部を、時計機能を有する時計部としたことを特徴とする請求項１または２に記載の換気装置。
【請求項４】
前記ファンモーターの起動および停止における光照度を記憶する基準照度部を設け、前記制御部に、前記照度測定部により取得した照度データと前記基準制御部の基準照度とを比較し起動および停止の制御を前記出力電圧生成部に対し行うように成した照度制御部を設けたことを特徴とする請求項１から３のいずれかに記載の換気装置。
【請求項５】
前記時間調整部および／または前記基準照度部に対し、任意の時間や照度を入れることのできる入力手段を設けたことを特徴とする請求項１から４のいずれかに記載の換気装置。
【請求項６】
前記出力電圧生成部に、昇圧手段または降圧手段を設けたことを特徴とする請求項１から５のいずれかに記載の換気装置。
【請求項７】
前記太陽電池の発電を補完するか、もしくは前記太陽電池の非発電時にて電力供給源となるバックアップ電源部を備えたことを特徴とする請求項１から６のいずれかに記載の換気装置。
【請求項８】
請求項１ないし７の換気装置と、太陽電池とからなるとともに、この太陽電池を電源して、当該換気装置を起動および停止制御させるように成したことを特徴する太陽光発電システム。
【発明の詳細な説明】
【技術分野】
【０００１】
本発明は、太陽電池を用いて建築物の天井や床下などを強制換気する換気装置、ならびに本発明の換気装置を用いた太陽光発電システムに関するものである。
【背景技術】
【０００２】
従来、家屋の屋根裏や床下に強制的に空気を流入もしくは流出させる換気装置を設置し、屋根裏や床下の換気を行うことにより、建材の腐食やカビの繁殖を防止したり、もしくは温度を低下させることで、冷房装置の冷却性能を高めるようにしている。
【０００３】
これらの換気装置の駆動電力については、商用電源や太陽電池などを用いて、交流もしくは直流電力で供給されている。
【０００４】
しかしながら、常時、換気を行えばよいというものではなく、そのタイミングが求められる。
【０００５】
すなわち、湿度の高くなる雨天時や、気温が下がって湿度の高くなる夜間などにおいて、換気を行った場合には、屋根裏や床下の湿度が増大し、逆効果となっていた。
【０００６】
そこで、このような課題を解消するために、換気装置にセンサー回路を設け、そして、湿度を検知して、換気装置の稼動を停止させる技術がある。
【０００７】
一方、この換気装置の稼動に太陽電池を用いて、太陽光から変換された電気エネルギーにより駆動する技術もある。
【０００８】
このように太陽電池を利用した場合、湿度の高い時や、光照度の低い時に、換気を停止させるに当り、太陽電池の出力電圧や短絡電流により光照度を測定し、これにより、回路にて規定した設定電圧と比較し、一定の照度以上か否かでもって換気装置の起動や停止を行っている。
【０００９】
以上のとおり、太陽電池の出力電圧を利用する場合、太陽電圧の出力電圧が設定電圧以上になったか否かを電圧検出器で検出し、太陽電池の出力電圧が設定電圧以上になれば、ファンモーターに給電し、設定電圧に満たなければ、ファンモーターへの給電を停止するように構成されている。
【００１０】
しかしながら、この構成によれば、低照度の時には換気装置は頻繁に運転と停止を繰り返すことになり、これにより、ファンモーターのオンオフの繰り返しによる磁気音が発生するという問題点があった。
【００１１】
この問題点を解消するために、太陽電池の短絡電流による照度測定を判定要素として付加する技術がある。
【００１２】
この技術によれば、太陽電池に並列に接続した抵抗にファンモーターの起動電流に相当するような電流が流れる状態において設定電圧となる一定照度以上となったときに、ファンモーターへの給電を行うようにしている。太陽電池の出力電圧が設定電圧より所定電圧以下になるまではファンモーターへの給電を続け、ファンモーターへ給電されている間は抵抗への通電を停止する。
【００１３】
したがって、低照度にはファンモーターの繰り返しのオンオフがなくなり、これによって磁気音が生じなくなる。
【００１４】
このように磁気音が生じなくなったが、その反面、この起動および停止方法においても回路の寿命が短くなるといった問題点もある。すなわち、太陽電池の出力電圧が設定電圧より低いときには抵抗に常時電流を流しているため、回路内の温度が上昇し、回路にストレスを生じさせることに起因する。
【００１５】
この問題点を改善したものに、遅延タイマー回路を付加した換気装置があり、この装置Ｊを図４により説明する。
【００１６】
同図に示す換気装置J１によれば、太陽電池１１と、分圧用の抵抗器４４、４５と、定電圧回路４１と、電圧判定回路４２と、ファンモーター１２と、ファンモーター１２を駆動するトランジスター７と、トランジスター７の駆動信号を制御する遅延タイマー回路４３とから成る。
【００１７】
太陽電池１１の出力電圧は抵抗器４４と４５により分圧され、電圧判定回路４２へ送られ、定電圧回路４１の作る基準電圧と比較される。
【００１８】
電圧判定回路４２は、あらかじめ規定された設定電圧（定電圧回路４１の基準電圧を用いることが多い）を基準にして起動および停止を行うが、電圧判定回路４２で比較される電圧が近いときには頻繁に起動と停止の判定が入れ替わるので、遅延タイマー回路４３を設けて一定時間は起動もしくは停止状態が維持されるようにして頻繁な起動および停止を抑えている。
【００１９】
また、低照度時において、ファンモーターの出力と同等の損失に耐えうる抵抗に常時、電流を流すものではないので、回路内の温度が上昇し回路の寿命を短くするような不都合が生じず、コストも低減でき、回路の小型化も容易になった。
【００２０】
さらにまた、太陽電池１１を接続する入力部にダイオードブリッジ４７を付加しており、これによって太陽電池１１の極性を考慮せずに接続できる換気装置とする技術が提案されている（たとえば、特許文献１を参照）。
【００２１】
一方、商用電源による駆動方法においては、安定した電力供給が得られることで、前述のような起動と停止のチャタリング現象の心配は無いが、その反面、昼夜を判定することができないという課題がある。
【００２２】
そこで、時計機能を装備して設定した任意の時間での起動および停止を行っているが、このような換気装置では、季節や設置場所の緯度によって昼と夜の長さが異なり、日出、日没時刻が変わるので、換気時間を最長にしようとすると、季節ごとに起動および停止時間の設定変更をする必要があり、これにより、時刻の設定変更が複雑であった。
【００２３】
また、設定時刻を一定としたときは、日照時間が長い夏季では昼間の乾燥した外気を有効に利用できない。そして、日照時間の短い冬季は朝夕の湿度を帯びた外気を屋内に入れることになるといった問題があった。
【００２４】
そこで、このような問題点を改善する方法として、ソーラタイマを付加した換気装置がある。この装置Ｊ２を図５により述べる。
【００２５】
同図に示す換気装置J２によれば、商用電源５１とファンモーター１２、そして、ファン制御回路８とから成る。
【００２６】
商用電源５１の電力はファン制御回路８内のＡＣ／ＤＣ変換器５２により直流化され、ファンモーター１２へ起動および停止を入り切りするスイッチ５４を通して電力供給される。スイッチ５４を制御するのがソーラタイマ部５５である。
【００２７】
ソーラタイマ部５５は主に現在時刻、時分を計時する時計部５６と、時計部５６の日繰り上がり信号を計数し、現在の月日を計時・記憶するカレンダー部５７と、日本の標準時基準点、明石市の各月日における日出・日没時刻をあらかじめ記憶させた時刻記憶部５８と、日出・日没時刻の算出に必要な各種のパラメータを外部から設定できる設定部５９からなる。
【００２８】
設定部５９から設定する要素として、換気装置が設置される地区、日出時刻おそめ時間、日没時刻はやめ時間などがある。地区設定は、緯度経度により日出・日没時刻が異なるため、日本をたとえば沖縄、九州…東北、北海道と１０地区に分けて各地区における標準の日出、日没時刻を算出するために装置が設置使用される地区を、たとえば地区番号で設定して地区設定記憶部６０に記憶させる。地区修正データ記憶部６１は地区設定記憶部６０に記憶された地区番号に対応して標準時である明石市との日出・日没時刻の偏差を記憶させている。この偏差の値を各地区別に１０地区分記憶しておく。
【００２９】
日出時刻おそめ時間とは、正規の日出時刻でファンモーター１２を作動させると、乾燥しきってない空気が床下や天井に入ってきて効果が十分でなく、また、たとえば夏季は早朝から作動を始めることになり、就寝中に作動音が聞こえてきて耳障りとなることがあるため、正規の日出時刻よりも換気扇１２の起動時間を遅らせるための時間をさす。この設定された日出時刻おそめ時間はおそめ設定記憶部６２へ記憶される。
【００３０】
日没時刻はやめ時間は、同様に正規の日没時刻よりも早めにファンモーター１２を停止させる時間である。この設定された日没時刻早め時間ははやめ設定記憶部６３へ記憶される。
【００３１】
時刻演算部６４は、前記各設定部や各記憶部、カレンダー部５７の値をもとにソーラタイマ５５の当日の日出・日没時刻を算出する。当日の日出・日没時刻の算出は、まず、カレンダー部５７の月日データをもとに、この月日に対応する基準点の基準日出、日没時刻のデータを基準日出・日没時刻記憶部５８から読み出してくる。
【００３２】
次に地区設定記憶部６０で設定されている地区の基準点と、修正データを地区修正データ記憶部６１から読み出してくる。さらにおそめ設定記憶部６２の設定値、日没時刻早め設定記憶部６３の設定値を読み出して演算を実行する。
【００３３】
比較部６５は、前記の演算算出された日出時刻、日没時刻と時計部５６の計時時刻を比較し、日出時刻≦計時時刻≦日没時刻のときファンモーター１２を作動させる。計時時刻＜日出時刻または日没時刻＜計時時刻のときはファンモーター停止の信号を出力し、接点駆動部６６で前記ファンモーターの起動および停止をスイッチ５４により行う。
【００３４】
このような、地区、月日、日出時刻おそめ時間、日没時刻早め時間を設定し、その日の基準となる日出、日没時刻におそめ時間、はやめ時間を加味した日出時刻、日没時刻を算出し、これを基にファンモーター１２の起動および停止を制御するようにして、地理や季節によって都度の入切り時刻の設定変更を必要とせず、年間を通して日出、日没時刻に連動した換気効果を得る技術も考案されている（たとえば、特許文献２を参照）。
【特許文献１】特開平１１−６３５９５号公報
【特許文献２】特開２００１−１４１２７０号公報
【発明の開示】
【発明が解決しようとする課題】
【００３５】
しかしながら、太陽電池を電源として利用したものでは、光照度に応じた規定の基準電圧により起動および停止を行っており、使用者が希望の光照度で起動および停止を行うことができないという問題があった。
【００３６】
また、照度基準の起動および停止を行っており、任意の時間での照度が季節により変わるため、起動および停止の時間が変わり、たとえば夏季の早朝より起動して就寝中の妨げになってしまうという問題もあった。
【００３７】
さらにまた、ソーラータイマを利用しても、照度基準での起動および停止を行う場合、季節や設置場所により変動する日没、日出に関する膨大なデータを記憶しなければならず、さらに設置者が日時や設置場所の緯度や経度に係るデータを入力しなければならず、煩雑な作業となる。
【００３８】
また、湿度が増加する雨天や曇天時においては、湿度センサーなどを通して感知しなければならず、部品点数が増加していた。
【００３９】
さらに商用電源を用いる場合、停電などで電力供給が停止すると換気も行えないという問題があった。
【００４０】
したがって本発明の目的は、上記課題を解消して、使用者が所要のどおりに換気装置を稼動して、その信頼性を高めた高性能な換気装置を提供することにある。
【００４１】
本発明の他の目的は、かかる本発明の換気装置に対し、太陽電池を電源して、当該換気装置を起動および停止制御させるように成した高品質な太陽光発電システムを提供することにある。
【課題を解決するための手段】
【００４２】
本発明の換気装置は、太陽電池により駆動されるファンモーターと、この太陽電池に対する光照度を測定する照度測定部と、上記ファンモーターに出力を供給する出力電圧生成部と、前記照度測定部により検知した照度データに基づいて日出および日没の双方の時刻を基準時として記憶する基準記憶部を備えた基準時設定部とを備え、さらに前記基準時に対して規定する所定の時刻に、前記ファンモーターの起動および停止を記憶する時間調整部と、前記基準時設定部のデータと前記時間調整部のデータにより、前記出力電圧生成部に対し起動および停止の制御を行う時間制御部とから成る制御部とからなることを特徴とする。
【００４３】
また、本発明の換気装置は、前記基準時設定部を、時計機能を有する時計部としたことを特徴とする。
【００４４】
さらにまた、本発明の換気装置は、前記ファンモーターの起動および停止における光照度を記憶する基準照度部を設け、前記制御部に、前記照度測定部により取得した照度データと前記基準制御部の基準照度とを比較し起動および停止の制御を前記出力電圧生成部に対し行うように成した照度制御部を設けたことを特徴とする。
【００４５】
本発明の換気装置は、前記時間調整部および／または前記基準照度部に対し、任意の時間や照度を入れることのできる入力手段を設けたことを特徴とする。
【００４６】
また、本発明の換気装置は、前記出力電圧生成部に、昇圧手段または降圧手段を設けたことを特徴とする。
【００４７】
本発明の他の換気装置は、前記太陽電池の発電を補完するか、もしくは前記太陽電池の非発電時にて電力供給源となるバックアップ電源部を備えたことを特徴とする。
【００４８】
本発明の太陽光発電システムは、本発明の換気装置と、太陽電池とからなるとともに、この太陽電池を電源して、当該換気装置を起動および停止制御させるように成したことを特徴する。
【発明の効果】
【００４９】
本発明の換気装置によれば、太陽電池により駆動されるファンモーターと、この太陽電池に対する光照度を測定する照度測定部と、上記ファンモーターに出力を供給する出力電圧生成部とを備え、そして、前記照度測定部により検知した照度データに基づいて日出および日没の双方の時刻を基準時として記憶する基準記憶部を備えた基準時設定部と、前記基準時に対して規定する所定の時刻に、前記ファンモーターの起動および停止を記憶する時間調整部と、前記基準時設定部のデータと前記時間調整部のデータにより、前記出力電圧生成部に対し起動および停止の制御を行う時間制御部を備えた制御部とからなり、これにより、太陽電池の出力電圧や短絡電流等を測定・換算し、測定値より日没、日出、および、その中間点である中間時のおおよそのタイミングを推測することができ、これらタイミングである基準時に対し何時間前、何時間後に動作することの指示を与えることにより、カレンダー機能を有しなくても、時間的な制御が可能な太陽電池式換気装置が提供できる。
【００５０】
また、本発明の換気装置によれば、望ましくはバックアップ電源を設けることで、夜間の間も照度測定ができ、２４時間照度データの監視を可能となる点で望ましい。
【００５１】
本発明の換気装置によれば、日没や日出、それらの中間時などの基準となる時間軸を設定する代わりに、時計機能を設けることでも、同様の制御を行うことができる。
【００５２】
さらに本発明の換気装置においては、基準照度を設けることで、時間だけでなく随時取得している照度データより、光照度での起動および停止の制御が可能となり、さらに季節や設置場所により変動する日没、日出に関する膨大なデータを記憶するメモリや湿度センサーなしで、かつ設置者が日時や設置場所の緯度や経度などのデータを入力する必要もなく、夜間や雨天時の高い湿度での低照度時においては、ファンモーターを停止させる制御とすることが可能となる。
【００５３】
さらに本発明によれば、前記時間調整部および／または前記基準照度部に対し、任意の時間や照度を入れることのできる入力手段を設けることで、使用者が希望の時間での起動および停止を設定することができ、たとえば、使用者の起床にあわせての起動が可能になる。
【００５４】
さらに、前記出力電圧生成部に、昇圧手段または降圧手段を設けたことで、任意の時間帯での自動風量調節ができ、たとえば早朝は微風にするなどのことが可能となる。
【発明を実施するための最良の形態】
【００５５】
以下、本発明の太陽光発電システムおよび換気装置について、その実施形態を模式的に示した図面に基づき、詳細に説明する。
【００５６】
図１は本発明の太陽光発電システムの概略を示し、本発明の換気装置と、太陽電池とからなる。そして、この太陽電池を電源して、本発明の換気装置を起動および停止の制御させるよう成している。
【００５７】
図２は本発明の他の太陽光発電システムの概略を示し、同様に本発明の換気装置と、太陽電池とからなる。
【００５８】
図３は季節による日出、日没時刻の変化、ならびに本発明に係る中間時設定を示す。
【００５９】
まず、図１によれば、１１は主電源となる太陽電池であり、１０は本発明の換気装置である。
【００６０】
この換気装置１０は、太陽電池１１により駆動するファンモーター１２と、ファンモーター１２に供給する電力を制御する出力電圧生成部１３と、太陽電池１１の出力を監視する照度測定部１５と、時間調整部１７と、基準時設定部１６と、制御部１４から成る。
【００６１】
また、主電源となる太陽電池１１の非発電時において、電力供給源となるバックアップ電源部１８を設けてもよく、これによって太陽電池１１の出力低下を補完する。
【００６２】
本発明の太陽光発電システムを成す太陽電池１１においては、この太陽電池１１に対する光照度を照度測定部１５で２４時間随時測定し、基準時設定部１６において、その光照度変化によって日出や日没の時刻を推定し記憶しておき、その後、その時間軸に従って制御する。
【００６３】
このような制御によりファンモーター１２を起動または停止させる。
【００６４】
前記時間軸を基準時にして何時間前、何時間後に起動または停止させるか、については、時間調整部１７にあらかじめ入力手段２１を用いて記憶させておき、前記基準時設定部１６に記憶されている基準時データと前記時間調整部１７のデータを基に、制御部１４により希望の時間において制御できる。
【００６５】
前述した動作について順を追って詳細に説明する。
【００６６】
太陽光による周囲の光照度は、太陽電池１１が出力する電圧や電流により測定可能であるが、太陽電池の発電の行われない夜間や、夕立時の曇天などの低照度下では、測定を行う電力が得られなくなる。
【００６７】
そこで、夜間はバックアップ電源１８により照度測定部１５や基準時設定部１６などを動作させることで、２４時間体制で光照度を測定することができる。そして、その照度変化の変化率等の比較により日出、日没を読取ることができ、また、雨の日においても、日中と夜間とではあきらかに光照度に違いがあり、日出や日没のおおよその時間を知ることができる。
【００６８】
このようにして得られた日出、日没の時間軸をもとに、日出日没の何時間前、何時間後に起動および停止を行うことができる。
【００６９】
日出日没の時間軸は基準時として基準時設定部１６にある日出および日没の双方の時刻を記憶する基準記憶部２６に記憶され、基準時に対する時間差はあらかじめ時間調整部１７に記憶されている。
【００７０】
よって、たとえば、日出および日没を記憶する基準記憶部２６が日出と判断した時より１時間後に起動するというデータが時間調整部１７にあらかじめ入力されていた場合、ファンモーター１２の起動は、制御部１４にある時間制御部２５で演算を行い、出力電圧生成部１３の制御により日出後１時間後に起動するようになる。
【００７１】
また、当日の日中の長さはおおよそ前日の日中の長さと同等と考えられるので、前日の日出、日没データより、前日の日中の長さがわかれば、当日の日出を時間軸としたおおよその日没の時間を知ることができる。
【００７２】
これを新たな基準時として日出および日没を記憶する基準記憶部２６に演算記憶すると、日没の何時間前に起動するなどの制御が可能となる。
【００７３】
また、日出および日没を記憶する基準記憶部２６において、前日のデータだけではなく過去のデータをもとに補正し、当日の日中の長さを予測することで、さらに正確な起動および停止を行なうことができる。
【００７４】
さらに、上述した日没と日出による基準時だけでなく、日没と日出の双方の時刻のちょうど中間の時刻がほぼ一年を通して一定になることを利用し、日出と日没の中間時を中間時基準として利用するとよい。
【００７５】
具体的には、基準時設定部１６に中間時基準記憶部２８を設け、基準記憶部２６の日没と日出の時間のデータを基に中間の時刻を算出する。
【００７６】
この基準時をもとに、時間調整部１７にあらかじめ入力されている中間時を基準時として、何時間前・何時間後に起動および停止を行うかの指示にしたがい起動および停止を行うことで、前日に日没や日出が明確でなかった場合においても、誤動作の無いファンモーター１２の起動および停止が可能となる。
【００７７】
また、図３にあるように季節が冬至に近づくと日出は遅くなり、日没は早くなる。
【００７８】
夏至に近づくと日出は早くなり、日没は遅くなる。日出、日没時刻の変化率は日出、日没の中間時に対してほぼ対象で、前記中間時は、ほぼ一定の時刻となる。
【００７９】
したがって、この中間時を基準時として、何時間前および後とすることで、毎日一定の時間での起動および停止とすることも可能となる。
【００８０】
具体的には、日出および日没を記憶する基準記憶部２６にある前日のデータの日中の長さが１２時間であったとすると、中間時は日出より６時間であり、当日の日出から６時間後における時点が基準時となり、日出および日没を記憶する基準記憶部２６に記憶される。
【００８１】
さらに時間調整部１７にあらかじめ入力されているデータが基準時の４時間前に起動、５時間後に停止ということであれば、時間制御部２５が当日の日出時刻より２時間後に起動し、１１時間後に（日没の１時間前に）停止するということを演算し、さらに出力生成部１３に伝え、ファンモーター１２を制御する。
【００８２】
上述の時間を通常の時刻に換算すると、前日と当日の日出がほぼ６時とした場合、起動および停止はそれぞれ８時と１７時ということになる。
【００８３】
日中の長さが１０時間になったとしても、日出と日没はともに１時間、日出は早く、日没は遅くなったことが予想でき、中間時間は１２時と変わらない。
【００８４】
したがって、この場合においても、時間調整部１７の値が、中間時という基準時の４時間前に起動、５時間後に停止と、変わらないということであれば、ほぼ同時刻の８時と１７時に起動および停止するようになる。
【００８５】
このような方法によれば、カレンダー機能などを有しなくても、季節に合わせた起動および停止へ自動的に変更することができる。
【００８６】
以上、上述したように、太陽電池の光照度を利用して日出日没を基準時とすることで、太陽電池の駆動による換気装置では不可能であった時間的制御を、時計機能を使用せず、時計あわせをする必要もなく、行うことができる。
【００８７】
つぎに図２によって、本発明の他の太陽光発電システムを述べる。
【００８８】
同図によれば、図１に示す太陽光発電システムと同様に、初期設定として時刻合せや、上述したような演算をせず、図２に示す換気装置２９のように、基準設定部の代わりに時計部１９を設け、この時計部１９の時刻にしたがって、起動および停止を行うことでも時間的な制御ができる。
【００８９】
具体的には太陽電池１１の光照度に対して起動および停止の基準となる起動および停止の光照度を記憶させる基準照度部２０を設け、制御部１４に設けた照度制御部２４において、照度測定部１５より随時送られてくる照度データと比較し、時間制御部２５での起動時間内において、出力電圧生成部１３にて起動および停止制御するように成す。
【００９０】
このように構成することで、商用電源駆動換気装置において必要としていた季節や設置場所により変動する日没、日出に関する膨大なデータを記憶するメモリや、湿度センサーや、設置者が設置日時や設置場所の緯度や経度などの初期データを入力する煩雑な作業も必要としなくなり、夜間や雨天時の高い湿度での低照度時においては、ファンモーターを停止することが可能となる。
【００９１】
また、出力生成部１３に昇圧回路や降圧回路などの回路を設け、任意の電圧へ可変してファンモーター１２の回転数を制御できるようにしておき、時間調整部１７においても、任意の時間帯とその時間帯に出力する電圧データを入れることで、前記時間調整部１７に入力されたデータにもとづいて制御部１４が、任意の時間帯に任意の電圧を出力するよう出力生成部１３を制御することができ、これにより、希望の時間帯に希望の風量でファンモーター１２を回すことができる。
【００９２】
たとえば、早朝のファンによる騒音は耳障りであるので、換気を行いたい場合など、起動開始より１時間は弱い風量で回すなどといった制御として騒音対策と換気量の増加を同時に図ることも可能である。
【００９３】
また、時間調整部１７や基準照度部２０にデータを入力することができる入力手段２１により、使用者が任意の時間に起動および停止を設定できる。
【００９４】
さらに制御部１４などによりデータを表示する表示手段２２を設けることで、制御内容の確認やファンモーターの動作状態や現在の光照度などの状態確認を表示することもでき、使用者の時間設定の手助けとなる。
【００９５】
また、上述したような日出や日没の時間軸で制御する換気装置１０に、さらに時計機能を付加することで、前日までのデータで予測した日没や日出の基準時を時計時刻と比較して時計時刻に換算し、たとえば明日の日出時刻、当日の日没時刻として表示させることも可能となり、この表示をもとに、使用者が、さらに何時間後や何時間前を入力することで、翌日の起動および停止の微調整が可能とするようにしてもよい。
【図面の簡単な説明】
【００９６】
【図１】本発明の太陽光発電システムの概略を示す回路図である。
【図２】本発明の他の太陽光発電システムの概略を示す回路図である。
【図３】季節による日出、日没時刻の変化ならびに本発明に係る中間時設定を示す線図である。
【図４】従来の駆動換気装置の形態を模式的に説明する回路図である。
【図５】従来の太陽光発電システムの概略を示す回路図である。
【符号の説明】
【００９７】
７：トランジスター
８：ファン制御回路
１０：換気装置
１１：太陽電池
１２：ファンモーター
１３：出力電圧生成部
１４：制御部
１５：照度測定部
１６：基準時設定部
１７：時間調整部
１８：バックアップ電源部
１９：時計部
２０：基準照度部
２１：入力手段
２２：表示手段
２４：照度制御部
２５：時間制御部
２６：基準記憶部
２８：中間時基準記憶部
２９：換気装置
４１：定電圧回路
４２：電圧判定回路
４３：遅延タイマー回路
４４：抵抗器
４５：抵抗器
５１：商用電源
５２：ＡＣ／ＤＣ変換器
５４：スイッチ
５５：ソーラタイマ部
５６：時計部
５７：カレンダー部
５８：時刻記憶部
５９：設定部
６０：地区設定記憶部
６１：地区修正データ記憶部
６２：おそめ設定記憶部
６３：はやめ設定記憶部
６４：時刻演算部
６５：比較部
６６：接点駆動部
J１、J２：換気装置
【図１】
2005282877.tif 000003
【図２】
2005282877.tif 000004
【図３】
2005282877.tif 000005
【図４】
2005282877.tif 000006
【図５】
2005282877.tif 000007